(57)【要約】      （修正有）【課題】薄型のカバンであっても、使用済のおむつ等を収容するプラスチック袋集合体を外袋から一枚ずつ容易に取り出すことが可能なカバンを提供する。【解決手段】カバン１は、保持した状態で上方が開閉可能となっており、複数のプラスチック袋集合体を収容する外袋１０を内側面に固定する機構を有する。外袋は、一端部の中央部分を破ることにより開口部１１が形成され、形成された開口部から処理袋を引き出すことができる。開口部が上方を向くように外袋を収容する収容部３を内側面に備え、収容部は、外袋を収容するポケット３１と、該ポケットの開放側を、少なくとも２か所で固定する固定部４とを有する。固定部は、ポケットに外袋が収容された状態で、少なくとも開口部の中央部が開放される位置に形成されている。【選択図】図４
2020124401.tif 000002
【特許請求の範囲】
【請求項１】
保持した状態で上方が開閉可能となっており、複数のプラスチック袋集合体を収容する外袋を内側面に固定する機構を有するカバンにおいて、
前記外袋は、一端部の中央部分を破ることにより開口部が形成され、形成された開口部からプラスチック袋を引き出すことができ、
前記開口部が上方を向くように前記外袋を収容する収容部を内側面に備え、
前記収容部は、
前記外袋を収容するポケットと、
該ポケットの開放側を、少なくとも２か所で固定する固定部と
を有し、
前記固定部は、前記ポケットに前記外袋が収容された状態で、少なくとも前記開口部の中央部が開放される位置に形成されていることを特徴とするカバン。
【請求項２】
前記固定部は、前記ポケットを構成する内布の上部に着脱可能であることを特徴とする請求項１に記載のカバン。
【請求項３】
前記固定部は、少なくとも二本のベルト状部材で構成されており、
前記開口部を挟む一対の前記ベルト状部材の互いに対向する側の間隔が２０ｍｍ以上２００ｍｍ以下であることを特徴とする請求項１又は２に記載のカバン。
【請求項４】
前記固定部は、少なくとも二本のベルト状部材で構成されており、
前記開口部を挟む一対の前記ベルト状部材の互いに対向する側の間隔が８０ｍｍ以上１３０ｍｍ以下であることを特徴とする請求項１又は２に記載のカバン。
【請求項５】
前記プラスチック袋集合体は、折りたたまれた複数のおむつ用の処理袋であることを特徴とする請求項１乃至４のいずれか一項に記載のカバン。
【発明の詳細な説明】
【技術分野】
【０００１】
本発明は、おむつ交換用品等の小物品を入れるカバンに、プラスチック袋集合体が収容されている外袋ごと保持し、保持された外袋から、収容されているプラスチック袋を一枚ずつ取り出せるようにしたカバンに関する。
【背景技術】
【０００２】
おむつ交換用の小物品を収容するために、よくバッグやポーチのようなカバンが使用されている。ここで、カバンとは、本体が袋状に構成されており、開口部がファスナー等で開閉自在に構成されたものとする。カバンの少なくとも内面には防水加工を施している。カバン自体を防水素材で構成した場合、おむつ交換用の小物品を収納するカバンとしても使用することができる。
【０００３】
このような防水処理の施されたカバンは、従来から存在するが、例えば交換したおむつを収容する袋等を内部に収容することはできても、カバンに収容した状態で袋を一枚だけ取り出すことができない。通常は、他の小物品やおむつ交換用品等と一緒に、カバンの外部に設けられたポケット内に収納されている。
【先行技術文献】
【特許文献】
【０００４】
【特許文献１】特許第３５３５５９３号公報
【発明の概要】
【発明が解決しようとする課題】
【０００５】
特許文献１には、カバンを開くことなく、カバン内に収納された袋入りティッシュからティッシュを一枚ずつ取り出すことが可能なカバンが開示されている。袋入りティッシュは、通常は袋の中心部近傍に開口部を有し、開口部からティッシュを一枚ずつ取り出している。したがって、特許文献１のように、カバンの上面に少なくとも折りたたまれたティッシュと同等以上の表面積を有する蓋体が必要となる。そのため、カバン自体を薄型化することが困難であるという問題点があった。
【０００６】
また、通常、交換したおむつ等を収容する袋を複数枚、プラスチック袋集合体として収容する外袋は、周囲四辺のうち一辺部にのみ開口部を有する形状である。なお、「プラスチック袋集合体」とは、プラスチックを主材料としてフィルム状に形成された袋等を複数重畳してある集合体のことを意味する。特許文献１のような構成では、外袋の中央部分に開口部を有する場合には、カバンの開口部と位置合わせすることができ、ティッシュを取り出すことができる。それに対して、周囲四辺のうち一辺部にのみ開口部を有する外袋の場合には、外袋の開口部とカバンの開口部とを位置合わせすることができず、一枚ずつ袋を取り出すことが困難であった。例えば、乳幼児の面倒を見ている最中に袋を取り出す必要がある場合に、乳幼児を抱きかかえたまま、あるいは両手を使うために乳幼児から目を離すことがないようにしつつ、一枚ずつ袋を取り出すことができるよう工夫することは、乳幼児の安全のためにも重要である。
【０００７】
本発明は、上記問題点に鑑みてなされたものであり、薄型のカバンであっても、使用済のおむつ等を収容するプラスチック袋を外袋から一枚ずつ容易に取り出すことが可能なカバンを提供することを目的とする。
【課題を解決するための手段】
【０００８】
上記目的を達成するために第１発明に係るカバンは、保持した状態で上方が開閉可能となっており、複数のプラスチック袋集合体を収容する外袋を内側面に固定する機構を有するカバンにおいて、前記外袋は、一端部の中央部分を破ることにより開口部が形成され、形成された開口部からプラスチック袋を引き出すことができ、前記開口部が上方を向くように前記外袋を収容する収容部を内側面に備え、前記収容部は、前記外袋を収容するポケットと、該ポケットの開放側を、少なくとも２か所で固定する固定部とを有し、前記固定部は、前記ポケットに前記外袋が収容された状態で、少なくとも前記開口部の中央部が開放される位置に形成されていることを特徴とする。
【０００９】
第１発明では、外袋の一端部の中央部分を破ることにより形成された開口部が上方を向くように外袋を収容する収容部を内側面に備える。収容部は、外袋を収容するポケットと、該ポケットの開放側を、少なくとも２か所で固定する固定部とで構成される。固定部は、ポケットに外袋が収容された状態で、少なくとも開口部の中央部が開放される位置に形成されているので、固定部の間に必ず外袋の開口部が位置するように外袋は収容される。したがって、カバンを開けた状態で開口部からおむつ用の処理袋などのプラスチック袋を引き出そうとする場合、外袋に収容されているプラスチック袋を確実に把持することができるとともに、固定部により外袋が固定されているため、片手で容易にプラスチック袋を外袋から一枚ずつ引き出すことが可能となる。
【００１０】
また、プラスチック袋を外袋から一枚ずつ引き出す場合、固定部に外袋が引っ掛かるとともに、カバン及びカバンに収容された物品が下へ押し下げる働きをするので、引き出し動作によってカバンが持ち上がることがない。したがって、薄型のカバンであっても、プラスチック袋を外袋から片手で一枚ずつ引き出すことが可能となり、乳幼児を抱きかかえている状態であっても両手を用いる必要がなくなり安全である。
【００１１】
また、第２発明に係るカバンは、第１発明において、前記固定部は、前記ポケットを構成する内布の上部に着脱可能であることが好ましい。
【００１２】
第２発明では、固定部が、ポケットを構成する内布の上部に着脱可能であるので、外袋を容易に交換することができる。
【００１３】
また、第３発明に係るカバンは、第１又は第２発明において、前記固定部は、少なくとも二本のベルト状部材で構成されており、前記開口部を挟む一対の前記ベルト状部材の互いに対向する側の間隔が２０ｍｍ以上２００ｍｍ以下であることが好ましい。
【００１４】
第３発明では、開口部を挟む一対のベルト状部材の互いに対向する側の間隔が２０ｍｍ以上であるので、プラスチック袋集合体が折りたたまれた複数のおむつ用の処理袋である場合であっても、外袋から複数枚重なって引き出されることがない。また、引き出すための指を確実にベルト状部材間に潜り込ませることができる。一方、開口部を挟む一対のベルト状部材の互いに対向する側の間隔が２００ｍｍ以下であるので、市販のおむつ用の処理袋であれば必ず固定部に引っ掛かり、引き出し動作によってカバンが持ち上がることがなく、しかも外袋ごと引き出されることがない。
【００１５】
また、第４発明に係るカバンは、第１又は第２発明において、前記固定部は、少なくとも二本のベルト状部材で構成されており、前記開口部を挟む一対の前記ベルト状部材の互いに対向する側の間隔が８０ｍｍ以上１３０ｍｍ以下であることが好ましい。
【００１６】
第４発明では、開口部を挟む一対のベルト状部材の互いに対向する側の間隔が８０ｍｍ以上であるので、乳児を抱きかかえながらであっても特段の注意を払うことなくおむつ用の処理袋を一枚ずつ引き出すことができる。また、開口部を挟む一対のベルト状部材の互いに対向する側の間隔が１３０ｍｍ以下であるので、市販のおむつ用の処理袋であれば、開口部近傍において必ず固定部に引っ掛かるので、より円滑におむつ用の処理袋を引き出すことが可能となる。
【００１７】
また、第５発明に係るカバンは、第１乃至第４発明のいずれか１つにおいて、前記プラスチック袋集合体は、折りたたまれた複数のおむつ用の処理袋であることが好ましい。
【００１８】
第５発明では、プラスチック袋集合体は、折りたたまれた複数のおむつ用の処理袋であるので、カバンを開けた状態で開口部からおむつ用の処理袋を引き出そうとする場合、外袋に収容されているおむつ用の処理袋を確実に把持することができるとともに、固定部により外袋が固定されているため、片手で容易におむつ用の処理袋を一枚ずつ引き出すことが可能となる。したがって、乳幼児等から目を離すことなくおむつ交換をすることができ、安全性を確保することができる。
【発明の効果】
【００１９】
本発明では、カバンを開けた状態で開口部からプラスチック袋を引き出そうとする場合、固定部により外袋が固定されているため、片手で容易にプラスチック袋を外袋から一枚ずつ引き出すことが可能となる。また、プラスチック袋を外袋から一枚ずつ引き出す場合、ベルト状の固定部に外袋が引っ掛かるとともに、カバン及びカバンに収容された物品が下へ押し下げる働きをするので、引き出し動作によってカバンが持ち上がることがなく、薄型のカバンであっても一枚ずつ片手でプラスチック袋を外袋から引き出すことが可能となる。
【図面の簡単な説明】
【００２０】
【図１】本発明の実施の形態１に係るカバンの正面図である。
【図２】本発明の実施の形態１に係るカバンの平面図である。
【図３】本発明の実施の形態１に係るカバンのファスナーを開放した時の状態を示す平面図である。
【図４】本発明の実施の形態１に係るカバンの収容部の構成を示すイメージ図である。
【図５】本発明の実施の形態１に係るカバンの固定部とおむつ用の処理袋を収容する外袋の開口部との位置関係を示すイメージ図である。
【図６】本発明の実施の形態２に係るカバンの正面図である。
【図７】本発明の実施の形態２に係るカバンのファスナーを示す平面図である。
【図８】本発明の実施の形態２に係るカバンの収容部の構成を示すイメージ図である。
【発明を実施するための形態】
【００２１】
以下、本発明の実施の形態に係るカバンについて、図面を参照して説明する。なお、本実施の形態の説明で参照する図面を通じて、同一又は同様の構成又は機能を有する要素については、同一又は同様の符号を付して、詳細な説明を省略する。
【００２２】
（実施の形態１）
図１は、本発明の実施の形態１に係るカバンの正面図であり、図２は、本発明の実施の形態１に係るカバンの平面図である。図１及び図２に示すように、本実施の形態１に係るカバン１は、プラスチック袋集合体を保持することが可能なポーチタイプのカバンである。なお、以下説明する実施の形態では、プラスチック袋集合体は折りたたまれた複数のおむつ用の処理袋である場合について説明する。もちろん、特にこれに限定されるものではない。カバン１は、上部にファスナー２が設けられており、袋状に開閉可能となっている。
【００２３】
図３は、本発明の実施の形態１に係るカバン１のファスナー２を開放した時の状態を示す平面図である。図３に示すように、カバン１の両内側面の少なくとも一方の内側面、好ましくはカバン１を保持している状態で外側に位置する内側面に、おむつ用の処理袋を複数枚収容した外袋１０を保持することが可能な収容部３を備えている。
【００２４】
図４は、本発明の実施の形態１に係るカバン１の収容部３の構成を示すイメージ図である。図４に示すように、本実施の形態１では、収容部３は、おむつ用の処理袋を複数枚収容した外袋１０を挿入するポケット３１と、外袋１０を固定する固定部４とで構成されている。外袋１０がポケット３１に挿入された状態で、外袋１０の上部の一部分を破ることで開口部１１が形成され、外袋１０に収容されているおむつ用の処理袋をカバン１の上側から引き出すことができる。なお、ポケット３１に限定されるものではなく、外袋１０を挿入することが可能な機構であれば何でも良い。
【００２５】
ポケット３１の開放側には、外袋１０を少なくとも２か所で固定する固定部４を有している。本実施の形態１では、固定部４は、二本のベルト状部材４１及びベルト状部材４１を脱着可能なボタン４２で構成されているが、特にこれに限定されるものではない。ポケット３１に外袋１０が挿入された状態で、形成された開口部１１を挟む位置に固定部４が配置されていれば良い。
【００２６】
おむつ用の処理袋を収容する外袋１０について、日本国内で市販されている主要１２社について外袋１０の開口部１１を形成する側の幅と形成される開口部１１の幅とを調査したところ、外袋１０の幅は１５０ｍｍ以上２５０ｍｍ以下、開口部１１の幅は４８ｍｍ以上１０９ｍｍ以下であった。平均値は、外袋１０の幅は１８４．３ｍｍ、開口部１１の幅は７６ｍｍであった。
【００２７】
したがって、外袋１０を二本の固定部４で確実に内側面に固定するためには、開口部１１を挟む一対のベルト状部材４１の互いに対向する側の間隔が１３０ｍｍ以下であることが好ましい。もちろん、外袋１０の幅が大きい場合も想定して、開口部１１を挟む一対のベルト状部材４１の互いに対向する側の間隔は２００ｍｍ以下であっても良い。
【００２８】
これにより、市販のおむつ用の処理袋であれば、開口部１１の近傍において必ず固定部４に引っ掛かるので、おむつ用の処理袋を引き出す場合であっても外袋１０がカバン１から引き出されることがなく、片手で確実におむつ用の処理袋を引き出すことができる。
【００２９】
また、収容されているおむつ用の処理袋を確実に引き出すためには、開口部１１を挟む一対のベルト状部材４１の互いに対向する側の間隔は２０ｍｍ以上であることが好ましい。これ以下の間隔になると、複数枚重なって引き出される可能性が高いことが実験的に確認されているからである。また、これ以上間隔が狭いと、指が開口部１１へと入り込みにくく、特に乳幼児を抱きかかえている状態では、手探りではおむつ用の処理袋を引き出しにくくなる。
【００３０】
図５は、本発明の実施の形態１に係るカバン１の固定部４とおむつ用の処理袋を収容する外袋１０の開口部１１との位置関係を示すイメージ図である。図５（ａ）に示すように、固定部４を構成する一対のベルト状部材４１が開口部１１の内側になるよう配置されている場合、収容されているおむつ用の処理袋を引き出すことが可能な範囲が狭く、引き出すときに複数枚同時に引き出す可能性が高くなる。開口部１１を挟む一対のベルト状部材４１の互いに対向する側の間隔Ａが２０ｍｍ以上である場合には、指を確実に開口部１１へと誘導することができ、確実に一枚ずつおむつ用の処理袋を引き出すことができた。
【００３１】
一方、図５（ｂ）に示すように、固定部４を構成する一対のベルト状部材４１が開口部１１の外側になるよう配置されている場合、収容されているおむつ用の処理袋を引き出すことは、カバン１に収容していない場合と同様に手軽である。しかし、開口部１１を挟む一対のベルト状部材４１の互いに対向する側の間隔Ａが１３０ｍｍを超えた場合には、外袋１０に残存するおむつ用の処理袋の枚数が少ないときに外袋１０が屈曲して、外袋１０ごと引き出される可能性が高まる。
【００３２】
つまり、外袋１０を確実にカバン１の内側面に固定しておき、おむつ用の処理袋を引き出す場合に外袋１０も一緒に引き出されないようにするためには、開口部１１を挟む一対のベルト状部材４１の互いに対向する側の間隔Ａが１３０ｍｍ以下であることが好ましい。もちろん、開口部１１を挟む一対のベルト状部材４１の互いに対向する側の間隔Ａが８０ｍｍ以上である方がより好ましい。間隔Ａを８０ｍｍ以上にすることで、開口部１１の外側に一対のベルト状部材４１が確実に配置されることになり、カバン１の中に収容していない場合と同様の引き出しやすさを維持することができ、例えば乳幼児を抱きかかえながらであっても、両手を用いることなくおむつ用の処理袋を一枚ずつ引き出すことができる。
【００３３】
なお、開口部１１を挟む一対のベルト状部材４１の互いに対向する側の間隔Ａが狭い場合でも外袋１０の交換を容易にするように、固定部４は、ポケット状の収容部３を構成する内布の上部に着脱可能であることが好ましい。本実施の形態１では、ボタン４２を介してベルト状部材４１を着脱可能としている。これにより、外袋１０を容易に交換することができる。
【００３４】
以上のように本実施の形態１によれば、カバン１を開けた状態で開口部１１からおむつ用の処理袋を引き出そうとする場合、固定部４により外袋１０が固定されているため、片手で容易におむつ用の処理袋を一枚ずつ引き出すことが可能となる。また、おむつ用の処理袋を一枚ずつ引き出す場合、ベルト状部材４１に外袋１０が引っ掛かるとともに、カバン１及びカバン１に収容された物品を下へ押し下げる働きをするので、引き出し動作によってカバン１が持ち上がることがなく、薄型のカバン１であっても一枚ずつ片手でおむつ用の処理袋を引き出すことが可能となる。
【００３５】
（実施の形態２）
図６は、本発明の実施の形態２に係るカバン１の正面図であり、図７は、本発明の実施の形態２に係るカバン１の平面図である。図６及び図７に示すように、本実施の形態２に係るカバン１は、おむつ用の処理袋を保持することが可能な、いわゆるＢＯＸ型のカバン１である。一面が扉状に開閉できるように、四辺の三辺まで開閉可能な一対のファスナー２が設けられている。実際の使用時には、カバン１を把持している状態でカバン１の上面に相当する位置、すなわち図７で示されている上面のみファスナー２により開放して、固定されている外袋１０からおむつ用の処理袋を引き出す。
【００３６】
図８は、本発明の実施の形態２に係るカバン１の収容部３の構成を示すイメージ図である。図８に示すように、開閉時に蓋状になる側の内側面に、おむつ用の処理袋を複数枚収容した外袋１０を保持することが可能な収容部３を備えている。
【００３７】
図８では、収容部３は、おむつ用の処理袋を複数枚収容した外袋１０を挿入するポケット３１と、外袋１０を固定する固定部４とで構成されている。外袋１０がポケット３１に挿入された状態で、外袋１０の上部の一部分を破ることで開口部１１が形成され、外袋１０に収容されているおむつ用の処理袋をカバン１の上側から引き出すことができる。なお、ポケット３１に限定されるものではなく、外袋１０を挿入することが可能な機構であれば何でも良い。
【００３８】
ポケット３１の開放側には、外袋１０を少なくとも２か所で固定する固定部４を有している。本実施の形態２では、固定部４は、二本のベルト状部材４１及びベルト状部材４１を脱着可能なボタン４２で構成されているが、特にこれに限定されるものではない。ポケット３１に外袋１０が挿入された状態で、形成された開口部１１を挟む位置に固定部４が配置されていれば良い。
【００３９】
おむつ用の処理袋を収容する外袋１０については、実施の形態１と同様であるので、外袋１０を二本の固定部４で確実に内側面に固定するためには、開口部１１を挟む一対のベルト状部材４１の互いに対向する側の間隔が１３０ｍｍ以下であることが好ましい。もちろん、外袋１０の幅が大きい場合も想定して、開口部１１を挟む一対のベルト状部材４１の互いに対向する側の間隔は２００ｍｍ以下であっても良い。
【００４０】
これにより、市販のおむつ用の処理袋であれば、開口部１１の近傍において必ず固定部４に引っ掛かるので、おむつ用の処理袋を引き出す場合であっても外袋１０がカバン１から引き出されることがなく、片手で確実におむつ用の処理袋を引き出すことができる。
【００４１】
また、収容されているおむつ用の処理袋を確実に引き出すためには、開口部１１を挟む最も内側に位置する一対のベルト状部材４１の互いに対向する側の間隔は２０ｍｍ以上であることが好ましい。これ以下の幅になると、複数枚重なって引き出される可能性が高いことが実験的に確認されているからである。また、これ以上間隔が狭いと、指が開口部１１へと入り込みにくく、特に乳幼児を抱きかかえている状態では、手探りではおむつ用の処理袋を引き出しにくくなる。
【００４２】
以上のように本実施の形態２によれば、カバン１を開けた状態で開口部１１からおむつ用の処理袋を引き出そうとする場合、固定部４により外袋１０が固定されているため、片手で容易におむつ用の処理袋を一枚ずつ引き出すことが可能となる。また、おむつ用の処理袋を一枚ずつ引き出す場合、ベルト状部材４１に外袋１０が引っ掛かるとともに、カバン１及びカバン１に収容された物品が下へ押し下げる働きをするので、引き出し動作によってカバン１が持ち上がることがなく、薄型のカバン１であっても一枚ずつ片手でおむつ用の処理袋を引き出すことが可能となる。
【００４３】
なお、本発明は上記実施例に限定されるものではなく、本発明の趣旨の範囲内であれば多種の変更、改良等が可能である。例えば固定部４は、ポケットを構成する内布の上部にボタン５で着脱可能にしているが、特にこれに限定されるものではなく、両面テープ、マジックテープ（登録商標）等で着脱可能としても良い。
【００４４】
また、固定部４はベルト状部材４１でなくても良く、外袋１０の開口部１１に、使用者の指が入り込める隙間を形成することができる構成であれば特に限定されるものではない。さらに、ベルト状部材４１も二本に限定されるものではなく、外側に複数対のベルト状部材等を有するものであっても良い。
【００４５】
さらに、外袋１０に収容されているプラスチック袋集合体は、折りたたまれた複数のおむつ用の処理袋に限定されるものではない。したがって、本発明は、例えばシニア向けの外出時のおむつやパッドの持ち帰り用として、あるいはペットの散歩中の排せつ物の処理用として、また出張等の旅行時における汚れた衣類の持ち帰り用として、など、多種多様な用途に用いることができることは言うまでもない。
【符号の説明】
【００４６】
１  カバン
３  収容部
４  固定部
１０  外袋
１１  開口部
３１  ポケット
４１  ベルト状部材
４２  ボタン
【図１】
2020124401.tif 000003
【図２】
2020124401.tif 000004
【図３】
2020124401.tif 000005
【図４】
2020124401.tif 000006
【図５】
2020124401.tif 000007
【図６】
2020124401.tif 000008
【図７】
2020124401.tif 000009
【図８】
2020124401.tif 000010